(57)【特許請求の範囲】
【請求項１】
カードを受容するカードホルダと、該カードホルダを進行方向、及び該進行方向とは逆向きの後退方向へ、さらに前記進行方向へ進行させた後の第１の位置から軸部を介して回動可能に前記カードホルダを保持したインシュレータと、前記カードホルダを前記第１の位置から第１の回動方向で回動させることによって第２の位置で前記カードの一面に設けたカード接点部に接触しかつ前記第１の回動方向とは逆向きの第２の回動方向へ前記第１の位置へ前記カードホルダを回動することによって前記カード接点部が離れるよう前記インシュレータに設けた導電性のコンタクトとを含むカード用コネクタにおいて、
前記カードホルダは、前記カードを受容するカード受容空間をもつカード受容部と、前記後退方向側の一辺に設けた第１の係合部と、前記進行方向側の一辺に設けたバネ形状の第２の係合部とを有し、
前記第１の係合部は、前記第２の位置の状態を保ちつつ前記カードホルダを前記後退方向へ移動させたときに前記第２の位置から前記カード接点部を前記コンタクトへ接触させたままの状態で位置ずれするよう移動した第３の位置で前記インシュレータに係合するものであり、前記第２の係合部は前記カードホルダを前記第３の位置で前記インシュレータへ前記後退方向に常時付勢するものであり、
前記インシュレータは、前記第３の位置で前記第１の係合部が係合しかつ前記カードの後退方向側の端面が当接することによって前記カードをロックした状態に保つ第１の係合受部と、前記第２の係合部を前記第３の位置で前記後退方向へ押圧するよう前記インシュレータの前記進行方向側の壁部に設けた第２の係合受部とを有していることを特徴とするカード用コネクタ。
【請求項２】
請求項１記載のカード用コネクタにおいて、前記第１の係合受部には、前記第１の係合部を受け入れて係合し前記カードホルダの回動を阻止する係合溝が形成されていることを特徴とするカード用コネクタ。
【請求項３】
請求項１記載のカード用コネクタにおいて、前記第１の係合受部には、前記カードの前記後退方向側の端面が当接するカード当接面が形成されていることを特徴とするカード用コネクタ。
【請求項４】
請求項１記載のカード用コネクタにおいて、前記第２の係合部には、前記インシュレータの一部に当接することによって前記カードホルダを前記第３の位置で前記第１の係合受部へ押圧して常時付勢するバネ押圧部が形成されていることを特徴とするカード用コネクタ。
【請求項５】
請求項４記載のカード用コネクタにおいて、前記第２の係合部は、前記カードホルダと一体に接続されており、前記カードホルダに一端を接続したバネ基部と、該バネ基部に接続した前記バネ押圧部と、前記バネ押圧部の先端に接続したバネ自由端部とを有し、前記インシュレータの前記進行方向側の前記壁部に設けた前記第２の係合受部には、前記バネ自由端部を受け入れて係合するバネ係合穴が形成されていることを特徴とするカード用コネクタ。
【請求項６】
請求項１記載のカード用コネクタにおいて、前記インシュレータは、底板部と、該底板部の互いに平行な一対の辺から該底板部の一面上方向に向けて接続し互いに平行に対向している一対の側板部と、該側板部の前記進行方向の両端を接続した前記壁部としての奥板部と、前記側板部の前記後退方向側の両端部で前記底板部に対向するように前記側板部間を接続したブリッジ部とを有し、前記第１の係合受部が前記ブリッジ部に設けられており、前記底板部には前記コンタクトを収容したコンタクト収容部が形成されていることを特徴とするカード用コネクタ。
【請求項７】
請求項６記載のカード用コネクタにおいて、前記カードホルダは前記後退方向の端辺から第１の係合部が突出して形成されておりかつ前記進行方向側で前記第２の係合部の一端を接続したホルダ主板部と、前記互いに対向する一対の前記側板部の内面に対向するよう前記ホルダ主板部の一対の辺から前記ホルダ主板部の一面上方向へ接続している一対のホルダ側板部と、該ホルダ側板部の一対の辺から前記ホルダ主板部に対向するよう接続した一対のカード受板部とを有し、
前記一対の側板部は、前記進行方向及び前記後退方向の中間部分に設けたホルダバネ部と、該ホルダバネ部の近傍で前記進行方向側に設けた長穴とを有し、前記側板部の互いに対向する面には前記第１の位置で前記ホルダバネ部に係合する第１の溝部と、前記第２の位置で前記ホルダバネ部に係合する第２の溝部と、前記長穴に係合する前記軸部とが設けられていることを特徴とするカード用コネクタ。
【発明の詳細な説明】
【０００１】
【発明の属する技術分野】
本発明は、カードを受容してカードのカード接点部にコンタクトを接離するカード用コネクタに属する。
【０００２】
【従来の技術】
従来のカード用コネクタは、図１１乃至図１３に示すように、カード１１０を保持するカードホルダ１２０と、カードホルダ１２０を回動可能に保持するインシュレータ１３０と、カード１１０の一側面上に設けられている複数のカード接点部１１１に一対一に接触する複数の導電性コンタクト１４０とを有している。
【０００３】
カードホルダ１２０は、互いに平行な一対のホルダ側板部１２０ａ，１２０ｂと、これらのホルダ側板部１２０ａ，１２０ｂの長手方向に平行な一辺間を相互に接続しているホルダ主板部１２０ｃと、ホルダ側板部１２０ａ，１２０ｂの長手方向に平行な他辺から折り曲げて長手方向へ延びているホルダ受板１２０ｄ，１２０ｅとを有している。
【０００４】
カードホルダ１２０の一対のホルダ側板部１２０ａ，１２０ｂには、これらのホルダ側板部１２０ａ，１２０ｂを切り起こして形成されている板バネ部１２１の先端近傍に突起１２２が形成されている。さらに、一対のホルダ側板部１２０ａ，１２０ｂには、板バネ部１２１の先端近傍に軸穴１２３が形成されている。
【０００５】
インシュレータ１３０は、互いに平行な一対のインシュレータ側板部１３０ａ，１３０ｂと、これらのインシュレータ側板部１３０ａ，１３０ｂ間を相互に接続しているコンタクト保持板部１３１ａと、コンタクト保持板部１３１ａとは長手方向において反対側である端部間を接続しているブリッジ板部１３１ｃとを有している。
【０００６】
インシュレータ側板部１３０ａ，１３０ｂの内面には、中間部分に設けられている軸部１３４と、ブリッジ板部１３１ｃ側と軸部１３４との間にインシュレータ側板部１３０ａ，１３０ｂの幅方向の両端から先端同士が互いに近づく向きに上下で延びている一対の溝１３５，１３６とが形成されている。また、ブリッジ板部１３１ｃの両端と一対のインシュレータ側板部１３０ａ，１３０ｂの長手方向における一端とが交わる角部には、ロック部１３８ａ，１３８ｂが形成されている。
【０００７】
カードホルダ１２０は、インシュレータ側板部１３０ａ，１３０ｂの内面にそれぞれ設けられている軸部１３４によって回動自在に保持されている。インシュレータ１３０のコンタクト保持板部１３１ａは、複数のコンタクト１４０を受け入れ、保持しているコンタクト穴１３２が形成されている。
【０００８】
カードホルダ１２０の突起１２２がインシュレータ１３０の下側の溝１３５に入っているときは、カード１１０の接点部１１１とコンタクト１４０とが接触しない第１の位置にあり、この時の両方の接触力は発生しないため、カード１１０を嵌合してもカード１１０の挿入力は小さい力で済む。
【０００９】
カード１１０が嵌合した後にカード１１０の先端を上側に押すと、カード１１０とともにカードホルダ１２０が回転し、カード１４０は接触する。また、この回転により、カード１１０の挿入口側では、ロック部１３８ａ，１３８ｂがカード１１０の先端をロックする。
【００１０】
【発明が解決しようとする課題】
しかしながら、上述したカードコネクタにおいては、カード１１０を使用している時に何らかの外力によってカード１１０の先端がインシュレータ１３０に設けたロック部１３８ａ，１３８ｂから解除される可能性がある。その際に、カード１１０がカードホルダ１２０から飛び出してしまい、誤動作の原因となっている。
【００１１】
また、カード１１０がカードホルダ１２０に設けられていないカード未使用時には、カードホルダ１２０が回動自在にインシュレータ１３０に保持されているので、インシュレータ内で回転動作をする可能性があり、この際、かちゃかちゃ音が発生する。
【００１２】
それ故に本発明の課題は、カードを使用している時に何らかの外力によってカードがはずれないように誤動作を防止することができるカードコネクタを提供することにある。
【００１３】
また、本発明の他の課題は、カードがカードホルダに設けられていないカード未使用時に、インシュレータ内で回転動作をする際に、発生する音の発生を防止することができるカードコネクタを提供することにある。
【００１４】
【課題を解決するための手段】
本発明によれば、カードを受容するカードホルダと、該カードホルダを進行方向、及び該進行方向とは逆向きの後退方向へ、さらに前記進行方向へ進行させた後の第１の位置から軸部を介して回動可能に前記カードホルダを保持したインシュレータと、前記カードホルダを前記第１の位置から第１の回動方向で回動させることによって第２の位置で前記カードの一面に設けたカード接点部に接触しかつ前記第１の回動方向とは逆向きの第２の回動方向へ前記第１の位置へ前記カードホルダを回動することによって前記カード接点部が離れるよう前記インシュレータに設けた導電性のコンタクトとを含むカード用コネクタにおいて、前記カードホルダは、前記カードを受容するカード受容空間をもつカード受容部と、前記後退方向側の一辺に設けた第１の係合部と、前記進行方向側の一辺に設けたバネ形状の第２の係合部とを有し、前記第１の係合部は、前記第２の位置の状態を保ちつつ前記カードホルダを前記後退方向へ移動させたときに前記第２の位置から前記カード接点部を前記コンタクトへ接触させたままの状態で位置ずれするよう移動した第３の位置で前記インシュレータに係合するものであり、前記第２の係合部は前記カードホルダを前記第３の位置で前記インシュレータへ前記後退方向に常時付勢するものであり、前記インシュレータは、前記第３の位置で前記第１の係合部が係合しかつ前記カードの後退方向側の端面が当接することによって前記カードをロックした状態に保つ第１の係合受部と、前記第２の係合部を前記第３の位置で前記後退方向へ押圧するよう前記インシュレータの前記進行方向側の壁部に設けた第２の係合受部とを有していることを特徴とするカード用コネクタが得られる。
【００１５】
【作用】
本発明のカード用コネクタでは、カードホルダ２１に第２の係合部を備えることによって第２の係合部の作用で、カードをカードホルダに受容しコンタクトとカード接点部とが接触している第３の位置では、カードホルダの第１の係合部が第１の係合受部の係合溝内に入り押し付けられ、第１の係合受部における係合溝によってカードホルダの位置がロック状態に固定されるため、何らかの外力が発生してもカードの接触力は安定し、カード飛び出しを防止する。
【００１６】
また、カードホルダにカードが受容しているときには、カードホルダを回転させる第２の係合部の反力により、カードがカードホルダごと突出することができるので、カードの取出しが容易になる。
【００１７】
さらに、カードがカードホルダに受容していないときには、カードホルダを第１及び第２の係合部、及び第１及び第２の係合受部によってインシュレータ内で係合される。
【００１８】
したがって、インシュレータ内で進行方向、後退方向、及び回動方向へカードホルダが動いて遊ぶことがないので、かちゃかちゃ音の発生を防止することができる。
【００１９】
【発明の実施の形態】
以下、図面を参照して、本発明に係るカード用コネクタの一実施の形態例を説明する。図１及び図２はカード用コネクタの一実施の形態例を示している。
【００２０】
図１及び図２を参照してカード用コネクタは、内部に回路を内蔵しているＩＣカードのような板形状のカード１１を受容するカードホルダ２１と、カードホルダ２１を、図２に示した矢印による進行方向Ａ、及び進行方向Ａとは逆向きの後退方向Ｂへ、さらに進行方向Ａへカードホルダ２１を位置させた第１の位置からカードホルダ２１を後述する軸部を介して回動可能に保持しているインシュレータ３１と、カード１１の一面の端に設けられている導電性のカード接点部１２の複数が第２の位置で一対一に接触するようにインシュレータ３１に設けられている複数の導電性コンタクト４１とを有している。
【００２１】
カードホルダ２１は、平板形状のホルダ主板部２２と、進行方向Ａ及び後退方向Ｂに平行なホルダ主板部２２の一対の辺からホルダ主板部２２の一面上方向へ接続している一対のホルダ側板部２３，２４と、ホルダ側板部２３，２４の一対の辺からホルダ主板部２２に対向するよう接続した一対のカード受板部２５，２６とを有している。
【００２２】
ホルダ主板部２２、一対のホルダ側板部２３，２４、及び一対のカード受板部２５，２６は、これらでカード１１を受容するカード受容空間Ｓをもつカード受容部を構成している。
【００２３】
ホルダ主板部２２は、第２の位置の状態を保ちつつカードホルダ２１を後退方向Ｂへ移動させたときに第２の位置からカード接点部１２をコンタクト４１へ接触させたままの状態で位置ずれさせた第３の位置でインシュレータ３１に係合して回動を阻止する突片形状の第１の係合部２７と、カードホルダ２１を第３の位置で後退方向Ｂへ常時付勢するために弾性・復元力をもつ板バネからなる第２の係合部２８とを有している。
【００２４】
一対のホルダ側板部２３，２４は、ホルダ側板部２３，２４の進行方向Ａ及び後退方向Ｂにおける中間部分を切り起こして形成されているホルダバネ部２３ａ，２４ａと、ホルダバネ部２３ａ，２４ａよりも進行方向Ａ側でホルダバネ部２３ａ，２４ａの近傍に穿設されている長穴２３ｅ，２４ｅとを有している。
【００２５】
ホルダバネ部２３ａ，２４ａは、後退方向Ｂの端部分がホルダ側板部２３，２４に接続されており、進行方向Ａ側の先端部分がホルダ側板部２３，２４の外側面よりも少し突出している突出部２３ｂ，２４ｂとなっている。即ち、ホルダバネ部２３ａ，２４ａは、板バネのような弾性力や復元力をもつものとなっている。また、長穴２３ｅ，２４ｅは、進行方向Ａ及び後退方向Ｂに長い穴である。
【００２６】
第１の係合部２７は、ホルダ主板部２２における後退方向Ｂ側の一辺の中央部分から後退方向Ｂへ突出して形成されており、ホルダ主板部２２と一体に形成されている部分である。第２の係合部２８は、ホルダ主板部２２における進行方向Ａ側の一辺を後退方向Ｂ側へ大きく切り欠いて形成されているホルダ切り欠き部２２ａに位置しており、ホルダ主板部２２と一体に形成されている部分である。
【００２７】
さらに、第２の係合部２８は、進行方向Ａ及び後退方向Ｂを直交する方向でホルダ主板部２２と略同一面で延びて、さらに進行方向Ａへ曲げられて延びているバネ基部２８ａと、バネ基部２８ａの先端からカード受容空間Ｓ側へ曲げられているバネ押圧部２８ｂと、バネ押圧部２８ｂからホルダ主板部２２に平行な方向へ曲げられているバネ自由端部２８ｃとを有している。
【００２８】
一対のカード受板部２５，２６の間は、カード受容空間Ｓを含むように開放されており、一対のカード受板部２５には、進行方向Ａ側の先端部分をカード受容空間Ｓ側へ少し曲げることによって形成されているストッパー部２５ａと、後退方向Ｂの端からさらに後退方向Ｂへ延びている操作部２５ｂとを有している。また、他方のカード受板部２６もストッパー部（図示せず）を有している。
【００２９】
ストッパー部２５ａ，２６ａは、カード１１を挿入する時の過挿入を防止する役目を果たす。また、操作部２５ｂは、後述するカードホルダ２１のロック状態を解除するときに操作する部分である。
【００３０】
インシュレータ３１は、進行方向Ａ側の端部がカード１１を挿入するカード挿入口３１ａとなすように進行方向Ａ側の端部と上面が開口されている略箱状を呈するものである。
【００３１】
さらに、インシュレータ３１は、平板形状の底板部３２と、進行方向Ａに平行な底板部３２の互いに平行な一対の辺に接続されて、一対の辺から底板部３２の一面上方向に延びて互いに平行に対向している一対の側板部３３，３４と、一対の側板部３３，３４の進行方向Ａ側の両端を相互に接続している奥板部３５と、一対の側板部３３，３４の後退方向Ｂ側の両端部側で底板部３２に対向するように一対の側板部３３，３４間を接続したブリッジ部３６とを有している。
【００３２】
底板部３２は、コンタクト４１を圧入することによって収容する穴形状の複数のコンタクト収容部３２ａと、後退方向Ｂの一辺から進行方向Ａ側へ底板部３２を切り欠いて形成されている逃げ部３２ｂとを有している。
【００３３】
底板部３２には、コンタクト収容部３２ａが奥板部３５の近傍に形成されており、逃げ部３２ｂが一方の側板部３３に隣接して形成されている。コンタクト収容部３２ａの内側には、コンタクト４１の接点部４１ａが位置している。
【００３４】
一対の側板部３３，３４には、後退方向Ｂ側の端寄りに側板部３３，３４の互いに対向する面から溝状にへこんでいる第１の溝部３３ａ，３４ａと、一対の側板部３３，３４の互いに対向する面から溝状にへこんでいる第２の溝部３３ｂ，３４ｂと、第１の溝部３３ａ，３４ａ及び第２の溝部３３ｂ，３４ｂよりも進行方向Ａ側で側板部３３，３４の互いに対向する面から突出している軸部３３ｅ，３４ｅとが設けられている。
【００３５】
第１の溝部３３ａ，３４ａには、第１の位置でホルダバネ部２３ａ，２４ａの突出部２３ｂ，２４ｂにそれぞれが一対一に係合する。第２の溝部３３ｂ，３４ｂには、第２の位置でホルダバネ部２３ａ，２４ａの突出部２３ｂ，２４ｂにそれぞれ一対一に係合する。軸部３３ｅ，３４ｅは、長穴２４ｅにスライドかつ回動可能に係合する。
【００３６】
また、一対の側板部３３，３４には、第１の溝部３３ａ，３４ａ及び第２の溝部３３ｂ，３４ｂが底板部３２の上面で上下方向に形成されており、第１の溝部３３ａ，３４ａが下側であり、第２の溝部３３ｂ，３４ｂが底板部３２の真上に位置するように下側に設けられている。
【００３７】
奥板部３５の進行方向Ａ及び後退方向Ｂを直交する中間部分には、第２の係合部２８のバネ自由端部２８ｃを受け入れるバネ受穴３５ａが形成されている。ブリッジ部３６には、カード１１の後退方向Ｂにおける端面が当接することによってカード１１をロックした状態とする第１の係合受部３６ａが形成されている。第１の係合受部３６ａには、第１の係合部２７を受け入れて係合する係合溝３６ｂが形成されている。
【００３８】
また、第１の係合受部３６ａは、第２の係合部２８のバネ押圧部２８ｂが奥板部３５に当接することによってカードホルダ２１を第１の係合部２７側へ押圧して常時付勢するカード当接部３６ｃが形成されている。
【００３９】
次に、インシュレータ３１とカードホルダ２１との組立、及び組立後のカード用コネクタにおけるコンタクト４１とカード接点部１２との接離操作について説明する。
【００４０】
カードホルダ２１は、インシュレータ３１のカード挿入口３１ａから一対の側板部３３，３４及び奥板部３５によって囲まれた収容空間に挿入される。この際、カードホルダ２１におけるホルダバネ部２３ａ，２４ａの突出部２３ｂ，２４ｂが一対の側板部３３，３４の第１の溝部３３ａ，３４ａに係合する。同時に、長穴２３ｅ，２４ｅが一対の側板部３３，３４の軸部３３ｅ，３４ｅに係合する。
【００４１】
したがって、長穴２３ｅ，２４ｅ内には、軸部３３ｅ，３４ｅが入り込むことによって軸部３３ｅ，３４ｅが長穴２３ｅ，２４ｅの範囲内で自由に進行方向Ａ及び後退方向Ｂへ移動可能にかつ回動可能に保持される。さらに、第２の係合部２８のバネ自由端部２８ｃは、奥板部３５のバネ受穴３５ａに少し入り込んでいる。
【００４２】
図３及び図４に示す初期状態では、カードホルダ２０が第２の係合部２８のバネ押圧部２８ｂによって後退方向Ｂに付勢されているが、長穴２３ｅ，２４ｅの一方の円周端２３ｅ′，２４ｅ′が軸部２３ｅ，２４ｅに接することでカードホルダ２１がインシュレータ３１内に固定される。
【００４３】
また、ホルダバネ部２３ａ，２４ａの突出部２３ｂ，２４ｂが第１の溝部３３ａ，３４ａに挿入されることによりカードホルダ２１の回転角度が位置決めされる。
【００４４】
さらに、図３及び図４に示す状態では、図５に示すように、カード１１のカード接点部１２とコンタクト４１とが非接触であるためカード１１を低挿入力で挿入できる。
【００４５】
カード１１をカードホルダ２１に挿入したときには、第２の係合部２８の下を通過する。なた、第２の係合部２８は、バネ自由端部２８ｃがインシュレータ３１の奥板部３５に形成されているバネ受穴３５ａに押されてバネとして作用させる役目を果たす。
【００４６】
図５に示したように、カード１１がカードホルダ２１に挿入されている状態では、操作部２５ｂを図３に示した進行方向Ａ（矢印６１の方向）に押し込むと、図６及び図７に示すように、カード１１も同時に押し込まれ、軸部３３ｅ，３４ｅが長穴２３ｅ，２４ｅの他方の円周端２３ｅ′′，２４ｅ′′に位置する。この状態が第１の位置である。
【００４７】
この後、図８乃至図１０に示すように、カードホルダ２１を矢印７１の方向（第１の回動方向）に軸部３３ｅ，３４ｅを支点として回転させることによってカード１１とコンタクト４１とが接触する。この状態が第２の位置である。この時、突出部２３ｂ，２４ｂが第２の溝部３３ｂ，３４ｂに位置し、図３に示した矢印６１の方向に押し込む力を緩めると第２の係合部２８の反力によって第１の係合部２７がカード当接部３６ｃに固定される。カード１１は、カードホルダ２１とともに回転することによってブリッジ部３６における第１の係合受部３６ａのカード当接部３６ｃへカード１１の後退方向Ｂの端面を押付けて、カード１１使用時の飛び出しを防止している。この状態が第３の位置である。
【００４８】
カード１１を使用した後は、カードホルダ２１を、図８に示した矢印７２の方向（第１の回動方向とは逆向きの第２の回動方向）へ回転させることによってカードホルダ２１のロック状態が解除される。この際、カードホルダ２１の第２の係合部２８は、弾性力によってカード１１を図３の矢印６２の方向に突出する。これによって、コンタクト４１とカード１１のカード接点部１２とが離されて接触力がなくなり、低い抜去力でカード１１が取出せる。
【００４９】
前述したように、カード用コネクタは、回動可能なカードホルダ２１に第２の係合部２８を備えることによって第２の係合部２８の作用で、カード１１をカードホルダ２１に受容しコンタクト４１とカード接点部１２とが接触している第３の位置では、カードホルダ２１の第１の係合部２７が第１の係合受部３６ａの係合溝３６ｂ内に入り、図３に示した矢印６２の方向に押し付けられ、第１の係合受部３６ａにおける係合溝３６ｂによってカードホルダ２１の位置がロック状態に固定される。
【００５０】
また、カードホルダ２１にカード１１が受容しているときには、カードホルダ２１を回転させる第２の係合部２８の反力によりカード１１をカードホルダ２１ごと突出する。
【００５１】
さらに、カード１１がカードホルダ２１に受容していないときには、カードホルダ２１を第１及び第２の係合部２７，２８、及び第１及び第２の係合受部３５ａ，３６ａによってインシュレータ３１内で係合される。
【００５２】
【発明の効果】
以上説明したように、本発明におけるカード用コネクタによれば、回動可能なカードホルダに第２の係合部を備えることによって、第２の係合部の作用で、カードを使用している時にはカードホルダの第１の係合部がインシュレータの第１の係合受部に係合して押し付けられてカードホルダの位置が固定されるため、何らかの外力が発生してもカードの接触力を安定させることができる。
【００５３】
また、カードを使用した後には、カードホルダを回転させる第２の係合部の反力により、カードがカードホルダごと突出されることから、カードの取出しが容易になる。
【００５４】
さらに、カードを使用していない時には、カードホルダをインシュレータ内で保持することができるのでカードホルダがインシュレータ内で移動若しくは回動するような遊びがなく、かちゃかちゃ音が発生しないカード用コネクタを提供することができる。
【図面の簡単な説明】
【図１】本発明に係るカード用コネクタの一実施例を示す斜視図である。
【図２】図１に示したカード用コネクタを分解して示した斜視図である。
【図３】図１に示したカード用コネクタの初期状態を示す斜視図である。
【図４】図３に示したカード用コネクタの断面図である。
【図５】図４に示したカード用コネクタにカードが受容されている状態を示す断面図である。
【図６】図１に示したカード用コネクタの第１の位置を示す断面図である。
【図７】図６に示したカード用コネクタにカードが受容されている状態を示す断面図である。
【図８】図１に示したカード用コネクタの第３の位置を示す斜視図である。
【図９】図８に示したカード用コネクタの第３の位置を示す断面図である。
【図１０】図９に示したカード用コネクタにカードが受容されている状態を示す断面図である。
【図１１】従来のカード用コネクタを示す斜視図である。
【図１２】図１１に示したカード用コネクタの分解斜視図である。
【図１３】図１１に示したカード用コネクタにカードを受容していない状態でカードホルダを移動したときの状態を示す斜視図である。
【符号の説明】
１１，１１０    カード
２１，１２０    カードホルダ
２２    ホルダ主板部
２３，２４    ホルダ側板部
２３ａ，２４ａ    ホルダバネ部
２３ｅ，２４ｅ    長穴
２３ｂ，２４ｂ    突出部
２５，２６    カード受板部
２５ａ    ストッパー部
２５ｂ    操作部
２７    第１の係合部
２８    第２の係合部
２８ａ    バネ基部
２８ｂ    バネ押圧部
２８ｃ    バネ自由端部
３１，１３１    インシュレータ
３２    底板部
３２ａ    コンタクト収容部
３３，３４    側板部
３３ｅ，３４ｅ    軸部
３３ｂ，３４ｂ    第２の溝部
３５    奥板部
３５ａ    バネ受穴
３６    ブリッジ部
３６ａ    第１の係合受部
３６ｂ    係合溝
３６ｃ    カード当接部
４１，１４０    コンタクト
１２１    板バネ部
１２２    突起
１２３    軸穴
１３１ｃ    ブリッジ板部
１３５，１３６    溝
【図１】
0003624401.tif 000002
【図２】
0003624401.tif 000003
【図３】
0003624401.tif 000004
【図４】
0003624401.tif 000005
【図５】
0003624401.tif 000006
【図６】
0003624401.tif 000007
【図７】
0003624401.tif 000008
【図８】
0003624401.tif 000009
【図９】
0003624401.tif 000010
【図１０】
0003624401.tif 000011
【図１１】
0003624401.tif 000012
【図１２】
0003624401.tif 000013
【図１３】
0003624401.tif 000014